(57)【要約】【課題】構成部品の位置決めを精度良く行うことができると共に、製造、解体を容易に行うことができる画像形成装置、画像形成装置の組立方法及び解体方法並びに画像形成装置に用いられる仮止め部材を提供する。【解決手段】画像形成装置は像形成ユニット２６を有し、この像形成ユニット２６は、像担持体４２、第１のハウジング６４及び第２のハウジング８８とを有する。像担持体４２と第１のハウジング６４とは仮止め部材７２により仮止めされている。支持軸９４を挿入すると、像担持体４２、第１のハウジング６４及び第２のハウジング８８がこの支持軸９４にならい、位置固定される。【選択図】図５
2008009424.tif 000002
【特許請求の範囲】
【請求項１】
ドラムと、このドラムの周囲に設けられた第１のハウジングと、この第１のハウジングの周囲に設けられた第２のハウジングと、前記ドラム、前記第１のハウジング及び前記第２のハウジングからなる３つの部材から選ばれた２つの部材を仮止めする仮止め手段と、前記ドラム、前記第１のハウジング及び前記第２のハウジングを位置固定する支持部材とを有する画像形成装置。
【請求項２】
前記支持部材は、前記ドラム、前記第１のハウジング及び前記第２のハウジングに挿入された支持軸である請求項１記載の画像形成装置。
【請求項３】
前記ドラムは、像担持体である請求項１又は２記載の画像形成装置。
【請求項４】
前記像担持体に接するクリーニングブレードをさらに有し、該クリーニングブレード、前記第１のハウジング及び前記像担持体により像担持体ユニットが構成されている請求項３記載の画像形成装置。
【請求項５】
前記仮止め手段は、前記像担持体と前記第１のハウジングとを仮止めする請求項４記載の画像形成装置。
【請求項６】
前記仮止め手段は、前記第１のハウジングに嵌合する第１の嵌合部と、前記像担持体に嵌合する第２の嵌合部とを有する仮止め部材から構成されている請求項５記載の画像形成装置。
【請求項７】
前記仮止め手段は、前記第１のハウジングに一体に形成されている請求項５記載の画像形成装置。
【請求項８】
前記像担持体ユニットは複数有し、該複数の像担持体ユニットが前記第２のハウジングに支持されている請求項３乃至７いずれか記載の画像形成装置。
【請求項９】
像担持体と、この像担持体に接するクリーニングブレードと、前記像担持体の周囲に設けられた第１のハウジングと、この第１のハウジングと前記像担持体とを仮止めする仮止め手段とを有する像担持体ユニットと、
複数の像担持体ユニットと、該複数の像担持体ユニットの周囲に設けられた第２のハウジングとを有する像形成ユニットと、
前記像担持体、前記第１のハウジング及び前記第２のハウジングを位置固定する支持部材と、
を有する画像形成装置。
【請求項１０】
前記像形成ユニットは、前記像担持体ユニットに対応して現像ユニットをさらに有する請求項９記載の画像形成装置。
【請求項１１】
ドラムと、このドラムの周囲に設けられる第１のハウジングと、この第１のハウジングの周囲に設けられる第２のハウジングと、からなる３つの部材から選ばれた２つの部材を仮止めし、前記ドラム、前記第１のハウジング及び前記第２のハウジングに支持軸を挿通させて前記ドラム、前記第１のハウジング及び前記第２のハウジングを位置固定する画像形成装置の組立方法。
【請求項１２】
ドラムと、このドラムの周囲に設けられた第１のハウジングと、この第１のハウジングの周囲に設けられた第２のハウジングと、からなる３つの部材から選ばれた２つの部材が仮止めされ、前記ドラム、前記第１のハウジング及び前記第２のハウジングに挿通されて前記ドラム、前記第１のハウジング及び前記第２のハウジングを位置固定している支持軸を抜く画像形成装置の解体方法。
【請求項１３】
ドラムと、このドラムの周囲に設けられた第１のハウジングと、この第１のハウジングの周囲に設けられた第２のハウジングと、からなる３つの部材から選ばれた２つの部材を仮止めする仮止め部材であって、該仮止め部材により仮止めした後、前記ドラム、前記第１のハウジング及び前記第２のハウジングに支持軸を挿通させて前記ドラム、前記第１のハウジング及び前記第２のハウジングを位置固定するようにした仮止め部材。
【発明の詳細な説明】
【技術分野】
【０００１】
本発明は、プリンタ、複写機、ファクシミリ等の画像形成装置、該画像形成装置の組立方法及び解体方法並びに画像形成装置に用いられる仮止め部材に関する。
【背景技術】
【０００２】
この種の画像形成装置として、像担持体を帯電装置により一様に帯電させ、露光装置により潜像を形成し、現像装置により潜像をトナーで可視像化し、転写装置により用紙にトナー像を転写し、定着装置によりトナーを用紙に定着させるものがゼログラフィー方式として周知である。カラー画像形成装置とするには、上記像担持体、露光装置、現像装置、転写装置等をトナーの色に対応して複数設ける。通常は、シアン、マゼンダ、イエロー、黒の４色であり、上記装置を４つ組み合わせる。
【０００３】
このようなカラー画像形成装置として、像担持体等を一つの像担持体ユニットとしてまとめ、さらにこれらのユニットを４色分まとめて画像形成ユニットとしたものが知られている（特許文献１）。
【０００４】
【特許文献１】特開平８−５４９１７号公報
【発明の開示】
【発明が解決しようとする課題】
【０００５】
しかしながら、上記従来においては、像担持体と他の構成部品位置決めは像担持体ユニットとして一体化しているので簡単に行うことができるが、像担持体と画像形成ユニットのハウジングとの位置決めは、像担持体ユニットのハウジングが介在しているので、容易には行うことができない。例えば像担持体を支持する支持軸により、像担持体、感光体ユニットのハウジング及び画像形成ユニットのハウジングの３つの部材を一体に支持するようにして３つの部材の位置決めを行うことが考えられるが、３つの部材を支持軸により一度に位置決めすることは製造上困難である。
【０００６】
本発明の目的は、構成部品の位置決めを精度良く行うことができると共に、製造、解体を容易に行うことができる画像形成装置、画像形成装置の組立方法及び解体方法並びに画像形成装置に用いられる仮止め部材を提供することにある。
【課題を解決するための手段】
【０００７】
本発明の第１の特徴とするところは、ドラムと、このドラムの周囲に設けられた第１のハウジングと、この第１のハウジングの周囲に設けられた第２のハウジングと、前記ドラム、前記第１のハウジング及び前記第２のハウジングからなる３つの部材から選ばれた２つの部材を仮止めする仮止め手段と、前記ドラム、前記第１のハウジング及び前記第２のハウジングを位置固定する支持部材とを有する画像形成装置にある。したがって、ドラム、第１のハウジング及び第２のハウジングからなる３つの部材から選ばれた２つの部材を仮止め手段により仮止めし、前記３つの部材を支持部材により支持するので、前記３つの部材の位置決めを精度良く行うことができると共に、画像形成装置の製造、解体を容易に行うことができる。
【０００８】
好適には、前記支持部材は、前記ドラム、前記第１のハウジング及び前記第２のハウジングに挿入された支持軸である。したがって、前記３つの部材に支持軸を挿入することにより前記３つの部材を位置決め固定することができる。
【０００９】
また、好適には、前記ドラムは、像担持体である。
【００１０】
また、好適には、前記像担持体に接するクリーニングブレードをさらに有し、該クリーニングブレード、前記第１のハウジング及び前記像担持体により像担持体ユニットが構成されている。
【００１１】
また、好適には、前記仮止め手段は、前記像担持体と前記第１のハウジングとを仮止めする。前記仮止め手段は、前記第１のハウジングに嵌合する第１の嵌合部と、前記像担持体に嵌合する第２の嵌合部とを有する仮止め部材から構成されてもよいし、前記第１のハウジングに一体に形成されてもよい。
【００１２】
また、好適には、前記像担持体ユニットは複数有し、該複数の像担持体ユニットが前記第２のハウジングに支持されている。
【００１３】
本発明の第２の特徴とするところは、像担持体と、この像担持体に接するクリーニングブレードと、前記像担持体の周囲に設けられた第１のハウジングと、この第１のハウジングと前記像担持体とを仮止めする仮止め手段とを有する像担持体ユニットと、複数の像担持体ユニットと、該複数の像担持体ユニットの周囲に設けられた第２のハウジングとを有する像形成ユニットと、前記像担持体ドラム、前記第１のハウジング及び前記第２のハウジングを位置固定する支持部材と、を有する画像形成装置にある。
【００１４】
好適には、前記像形成ユニットは、前記像担持体ユニットに対応して現像ユニットをさらに有する。
【００１５】
本発明の第３の特徴とするところは、ドラムと、このドラムの周囲に設けられる第１のハウジングと、この第１のハウジングの周囲に設けられる第２のハウジングと、からなる３つの部材から選ばれた２つの部材を仮止めし、前記ドラム、前記第１のハウジング及び前記第２のハウジングに支持軸を挿通させて前記ドラム、前記第１のハウジング及び前記第２のハウジングを位置固定する画像形成装置の組立方法にある。
【００１６】
本発明の第４の特徴とするところは、ドラムと、このドラムの周囲に設けられた第１のハウジングと、この第１のハウジングの周囲に設けられた第２のハウジングと、からなる３つの部材から選ばれた２つの部材が仮止めされ、前記ドラム、前記第１のハウジング及び前記第２のハウジングに挿通されて前記ドラム、前記第１のハウジング及び前記第２のハウジングを位置固定している支持軸を抜く画像形成装置の解体方法にある。
【００１７】
本発明の第５の特徴とするところは、ドラムと、このドラムの周囲に設けられた第１のハウジングと、この第１のハウジングの周囲に設けられた第２のハウジングと、からなる３つの部材から選ばれた２つの部材を仮止めする仮止め部材であって、該仮止め部材により仮止めした後、前記ドラム、前記第１のハウジング及び前記第２のハウジングに支持軸を挿通させて前記ドラム、前記第１のハウジング及び前記第２のハウジングを位置固定するようにした仮止め部材にある。
【発明を実施するための最良の形態】
【００１８】
次に本発明の実施形態について図面に基づいて説明する。
図１において、本発明の実施形態に係る画像形成装置１０が示されている。この画像形成装置１０は、画像形成装置本体１２を有し、画像形成装置本体１２の下部には、給紙装置１４が配置されていると共に、画像形成装置本体１２の上部には排紙部１６が形成されている。
【００１９】
給紙装置１４は、シートトレイ１８を有し、このシートトレイ１８に多数のシート（用紙）が積層される。このシートトレイ１８の一端上部には、フィードロール２０が配置されていると共に、このフィードロール２０に対向して捌きロール２２が設けられている。シートトレイ１８の最上位にあるシートがフィードロール２０によりピックアップされ、フィードロール２０と裁きロール２２との協働によりシートが捌かれて搬送される。
【００２０】
シートトレイ１８から搬送されたシートは、レジストローラ２４により一時停止され、所定のタイミングにより像形成ユニット２６と転写ユニット２８との間及び定着装置３０を通って排紙ローラ３２により排紙部１６へ排出される。
【００２１】
画像形成装置本体１２内には、像形成ユニット２６、転写ユニット２８、電源ユニット３４及び制御部３６が配置されている。像形成ユニット２６は、後述するように、各色に対応して例えば４つの像担持体ユニット３８と４つの現像ユニット４０とを有する。像担持体ユニット３８は、像担持体４２が回転自在に支持されている。各像担持体４２の周囲には、像担持体４２を一様に帯電する帯電ロールを備えた帯電手段としての帯電部材４４と、転写後の像担持体４２を除電する除電手段としての除電部材４６と、転写がなされた後に像担持体４２に残留する現像剤を除去する現像剤除去手段としてのクリーニングブレード４８とを有する。
【００２２】
４つのトナーボックス５０は、像形成ユニット２６の裏面側側方に接続されている。各トナーボックス５０は、マゼンダ、イエロー、シアン及び黒用であり、トナー供給部５２とトナー回収部５４とが一体になって構成されている。トナー供給部５２は現像ユニット４０に接続されて各色のトナーを現像ユニット４０に供給し、トナー回収部５４はクリーニングブレード４８により除去された各色のトナーを回収する。
【００２３】
光書込み装置５６は、それぞれレーザ露光装置からなり、像形成ユニット２６の背面側にあって各像担持体４２に対応した位置に配置され、一様に帯電された像担持体４２に対してレーザを照射して潜像を形成するようになっている。
【００２４】
転写ユニット２８は、像形成ユニット２６の前側にあって像形成ユニット２６に対向して縦方向に配置されている。この転写ユニット２８は、上下方向に設けられた二つの支持ロール５８に搬送ベルト６０が掛けられている。また、各像担持体４０に搬送ベルト６０を挟んで対向して転写部材６２が設けられている。像形成ユニット２６は、転写ユニット２８を倒すことにより画像形成装置本体１２に着脱できるようになっている。
【００２５】
したがって、各像担持体４２は、帯電部材４４により一様に帯電され、光書込み装置５６により潜像が形成され、現像ユニット４０により潜像がトナーにより可視像化される。各像担持体４２に形成されたトナー像は、下方から順番に転送ユニット２８の転写部材６２により、搬送されるシートに転写され、定着装置３０によりシートに定着される。
【００２６】
図２において、像形成ユニット２６の詳細が示されている。また、図３及び図４において、像形成ユニット２６に装着される像担持体ユニット３８が示されている。像担持体ユニット３８は、第１のハウジング６４を有する。この第１のハウジング６４は、像担持体４２及び帯電部材４４を回転自在に支持しており、また、除電部材４６及びクリーニングブレード４８を支持している。また、この第１のハウジング６４は、左右両面及び上面が囲まれ、後面は光書込み装置５６からの変調されたレーザ走査光を受入れるために開放され、前面は像担持体４２を転写ユニット２６に対峙させるために開放され、下面は後述する現像ユニット４０の現像ロール８６を像担持体４２に対峙させるために開放されている。さらに第１のハウジング６４とクリーニングブレード４８との間にはトナー回収通路６８が形成されている。このトナー回収通路６８にはトナー回収用オーガ７０が回転自在に配置されている。クリーニングブレード４８は弾性体からなり、像担持体４２に例えば下方へ押圧するように接触している。したがって、このクリーニングブレード４８により像担持体４２に残ったトナーが像担持体４２から除去され、除去されたトナーがトナー回収通路６８のトナー回収用オーガ７０により一端に搬送され、トナー回収通路６８に接続されたトナーボックス５０のトナー回収部５４に搬送される。
【００２７】
ドラムである像担持体４２と第１のハウジング６４とは、図３及び図４に示すように、左右両側で仮止め部材７２，７２を介して仮止めされている。
【００２８】
現像ユニット４０は、現像ユニット本体７４を有し、この現像ユニット本体７４内に現像剤搬送部７６と現像部７８とが形成されている。現像ユニット４０は例えば２成分方式のもので、現像剤搬送部７６は仕切り壁８０により２つの通路に仕切られ、それぞれの通路には攪拌搬送用オーガ８２，８２が配置されており、この２つの通路は軸方向両端で接続されている。また、現像剤搬送部７４は、前述したトナーボックス５０のトナー供給部５２に接続され、このトナー供給部５２からトナーが供給される。この現像剤搬送部７６には予めキャリアが収容されており、攪拌搬送用オーガ８２，８２によりトナーとキャリアとが攪拌搬送用オーガ８２，８２の軸方向に攪拌搬送され、トナーを帯電させる。現像部７８には、パドル８４と現像ロール８６とが配置されている。攪拌されたトナーとキャリアとからなる現像剤はパドル８４を介して現像ロール８６に供給される。現像ロール８６は周知のようにマグネットロールからなり、ロール表面上に供給された現像剤により磁気ブラシを形成し、この磁気ブラシにより像担持体４２にトナーを供給する。
【００２９】
像形成ユニット２６は、第２のハウジング８８を有する。この第２のハウジング８８は、左右両面及び上下面により囲まれており、左右両面の内側には、例えば図１０に示すように、前後方向に延びる４つの第１の溝９０と、同じく前後方向に延びる４つの第２の溝９２とが形成されている。像担持体ユニット３８及び現像ユニット４０のそれぞれには図示しないレールが設けられ、像担持体ユニット３８のレールが第１の溝９０に、現像ユニット４０のレールが第２の溝９２にそれぞれ嵌合されて、４つの像担持体ユニット３８と４つの現像ユニット４０が第２のハウジング８８に支持されている。
【００３０】
前述した像担持体４２、第１のハウジング６４及び第２のハウジング８８は、支持部材である支持軸９４により支持固定されている。この支持軸９４による支持構造を図５乃至図７を用いて詳細に説明する。
【００３１】
図５は支持軸９４を挿入した後の支持部分の断面図であり、図６は支持軸９４を挿入する前の支持部分の断面図であり、図６は第１のハウジング６４と仮止め部材７２とを示す斜視図である。
【００３２】
仮止め部材７２は、例えばリング状に形成された第１の嵌合部９６と、この第１の嵌合部９６から突出して形成された例えば３つの第２の嵌合部９８とを有する。一方、第１のハウジング６４には、第１の嵌合部９６の内面が嵌合する第１の被嵌合部１００が形成されていると共に、この第１の被嵌合部１００の周囲に例えば３つの仮止め部材挿入孔１０２が形成されている。仮止め部材７２の第２の嵌合部９８は、仮止め部材挿入孔１０２に挿入され、像担持体４２側に突出している。
【００３３】
像担持体４２は、ドラム本体部１０４と、このドラム本体部１０４の両側に設けられたフランジ部１０６とを有する。ドラム本体部１０４には、感光層が設けられ、前述した光書込み装置からのレーザ光により潜像が形成される。この像担持体４２のドラム本体部１０４にクリーニングブレード４８が押圧するように当接している。フランジ部１０６の一端には第２の被嵌合部１０８が形成されており、この第２の被嵌合部１０８の外周に仮止め部材７２の第２の嵌合部９８の内面が嵌合するようになっている。
【００３４】
像担持体４２のフランジ部１０６、第１のハウジング６４及び第２のハウジング８８には、それぞれ第１の支持軸挿入孔１１０、第２の支持軸挿入孔１１２及び第３の支持軸挿入孔１１４が形成されている。この第１の支持軸挿入孔１１０、第２の支持軸挿入孔１１２及び第３の支持軸挿入孔１１４に支持軸９４が挿入されている。支持軸９４の径と第１の支持軸挿入孔１１０、第２の支持軸挿入孔１１２及び第３の支持軸挿入孔１１４との内径とは略等しく、このため支持軸９４により像担持体４２、第１のハウジング６４及び第２のハウジング８８の位置固定がなされている。
【００３５】
前述した仮止め部材７２の第２の嵌合部９８の内径とフランジ部１０６の第２の被嵌合部１０８との間には所定の差が設けられている。したがって、図６に示すように、支持軸９４の挿入前にあっては、仮止め部材７２の第２の嵌合部９８とフランジ部１０６の第２の被嵌合部１０８との間にはガタが生じている。ただし、像担持体４２がクリーニングブレード４８に押圧されているので、クリーニングブレード４８に近い部分で大きなガタが生じ、クリーニングブレード４８から離れている第２の嵌合部９８と第２の被嵌合部１０８とは接触しており、像担持体ユニット３８単体としては、このような状態で像担持体４２と第１のハウジング６４とが仮止め部材７２を介して仮止めされている。
【００３６】
ところが、図５に示すように、支持軸９４を挿入すると、支持軸９４に像担持体４２、第１のハウジング６４及び第２のハウジング８８がならうようになるので、仮止め部材７２の全ての第２の嵌合部９８とフランジ部１０６の第２の被嵌合部１０８とは完全に離れ、仮止め部材７２は位置固定の機能を失うことになる。したがって、支持軸９４を介して像担持体４２、第１のハウジング６４及び第２のハウジング８８が位置固定されるので、例えば像担持体４２とクリーニングブレード４８との位置関係あるいは像担持体４２と現像ユニット４０との位置関係を適切に保つことができる。
【００３７】
次に上記画像形成装置、特に像形成ユニット２６の組立方法について説明する。
まず像担持体ユニット３８の組立方法について説明する。
図８に示すように、第１のハウジング６４に帯電部材４４、クリーニングブレード４８等を予め組み込んでおく。次に図９に示すように、像担持体４２を第１のハウジング６４内に挿入する。そして、仮止め部材７２，７２を第１のハウジング６４の左右に嵌め込めば完了する。即ち、仮止め部材７２の第２の嵌合部９８を第１のハウジング６４の仮止め部材挿入孔１０２に挿入し、仮止め部材７２の第１の嵌合部９６を第１のハウジング６４の第１の被嵌合部１００に嵌め込むと共に、仮止め部材７２の第２の嵌合部９８を像担持体４２の第２の被嵌合部１０８に嵌め込む。これにより仮止め部材７２を介して像担持体４２と第１のハウジング６４とが仮止めされ、像担持体ユニット３８が構成される。像担持体３８は、クリーニングブレード４８に押圧され、仮止め部材７２の第２の嵌合部９８と像担持体４２の第２の被嵌合部１０８との間にはガタが生じるように固定されるが、像担持体４２の第１の支持軸挿入孔１１０と第１のハウジング６４の第２の支持軸挿入孔１１２との位置は略一致するようになる（図６参照）。
【００３８】
次に図１０に示すように、上記のように構成した像担持体ユニット３８を第２のハウジング８８に挿入する。像担持体４２の第１の支持軸挿入孔１１０及び第１のハウジング６４の第２の支持軸挿入孔１１２と第２のハウジング８８の第３の支持軸挿入孔１１４との位置が略一致する。
【００３９】
次に図１１及び図１２に示すように、第２のハウジング８８に像担持体ユニット３８を装着した後、支持軸９４を第２のハウジング８８の第３の支持軸挿入孔１１４から挿入する。支持軸９４を第３の支持軸挿入孔１１４から挿入すると、第１のハウジング６４の第２の支持軸挿入孔１１２及び像担持体４２の第１の支持軸挿入孔１１０に自動的に挿入され、さらに反対側の第１の支持軸挿入孔１１０、第２の支持軸挿入孔１１２及び第３の支持軸挿入孔１１４に自動的に挿入され、第２のハウジング８８を貫通させる。支持軸９４の貫通が終了すると、支持軸９４をピン等により第２のハウジング８８に固定する。
【００４０】
最後に図１３に示すように、現像ユニット４０を第２のハウジング８８に装着することにより像形成ユニット２６の組立を完了することができる。
【００４１】
像担持体４２と第１のハウジング６４とを仮止めしないで組み立てようとすれば、像担持体４２、第１のハウジング６４及び第２のハウジング８８の３つの部品を支持軸９４が貫通するように支持しながら、しかも像担持体４２がクリーニングブレード４８からの圧力を受けながら、支持軸９４を貫通させなければならず、困難な作業とならざるを得ない。しかしながら、本実施形態のように、像担持体４２と第１のハウジング６４とを仮止め部材７２を介して仮止めしているので、仮止めされた像担持体ユニット３８を第２のハウジング８８に合わせることにより簡単に支持軸９４を貫通させることができ、しかもクリーニングブレード４８による像担持体４２への圧力の影響を受けずに作業を行うことができる。
【００４２】
なお、上記のように構成された画像形成装置を解体する場合は、上記作業の逆を行えばよい。即ち、支持軸９４を引き抜くことにより第２のハウジング８８と仮止めされた像担持体ユニット３８とを分離することができる。
【００４３】
図１４において、第１の変形例が示されている。前述した実施形態における仮止め部材７２は、３つの第２の嵌合部９８を設けたが、第２の嵌合部９８は複数あれば足り、例えば図１４に示すように６つの第２の嵌合部９８を設けるようにしてもよい。
【００４４】
図１５において、第２の変形例が示されている。前述した実施形態においては、仮止め部材７２により像担持体４２と第１のハウジング６４とを仮止めしたが、この第２の変形例においては、第１のハウジング６４と一体に突出した仮止め部１１６を設け、この仮止め部１１６により像担持体４２と第１のハウジング６４とを仮止めするようにしてもよい。さらに、仮止め部１１６は、第１のハウジング６４に設ける代わりに像担持体４２側に設けることもできる。
このように、像担持体４２と第１のハウジング６４とを仮止めするものは、別体であっても一体であってもよいため、特許請求範囲においては、仮止め手段なる文言を用いている。
【００４５】
なお、上記実施形態においては、像担持体４２と第１のハウジング６４とを仮止めするようにしているが、他の実施形態として、像担持体４２と第２のハウジング８８、又は第１のハウジング６４と第２のハウジング８８とを仮止めしてもよく、要するに本発明においては、像担持体４２、第１のハウジング６４及び第２のハウジング８８の３つの部材から選ばれた２つの部材を仮止めすれば足りる。
【産業上の利用可能性】
【００４６】
以上述べたように、本発明は、位置決め精度の向上と組立、解体の容易化を図ろうとする画像形成装置に利用することができる。
【図面の簡単な説明】
【００４７】
【図１】本発明の実施形態に係る画像形成装置を示す側面図である。
【図２】本発明の実施形態に係る画像形成装置に用いた像形成ユニットを示す断面図である。
【図３】本発明の実施形態に係る画像形成装置に用いた像担持体ユニットを表側から見た斜視図である。
【図４】本発明の実施形態に係る画像形成装置に用いた像担持体ユニットを裏側から見た斜視図である。
【図５】本発明の実施形態に係る画像形成装置において、支持軸を挿入した後の支持部分の断面図である。
【図６】本発明の実施形態に係る画像形成装置において、支持軸を挿入する前の支持部分の断面図
【図７】本発明の実施形態に係る画像形成装置に用いた第１のハウジングと仮止め部材とを示す斜視図である。
【図８】本発明の実施形態に係る画像形成装置に用いた像担持体ユニットの分解斜視図である。
【図９】本発明の実施形態に係る画像形成装置に用いた像担持体ユニットの仮止め前であって、像担持体を装着した状態を示す斜視図である。
【図１０】本発明の実施形態に係る画像形成装置に用いた像形成ユニットの組立方法を示し、第２のハウジングに像担持体ユニットを装着する前の状態を示す断面図である。
【図１１】本発明の実施形態に係る画像形成装置に用いた像形成ユニットの組立方法を示し、第２のハウジングに像担持体ユニットを３つ装着した状態を示す断面図である。
【図１２】本発明の実施形態に係る画像形成装置に用いた像形成ユニットの組立方法を示す斜視図である。
【図１３】本発明の実施形態に係る画像形成装置に用いた像形成ユニットの組立方法を示し、第２のハウジングに像担持体ユニットを装着した後、現像ユニットを装着する前の状態を示す断面図である。
【図１４】本発明の実施形態に係る画像形成装置の第１の変形例を示す斜視図である。
【図１５】本発明の実施形態に係る画像形成装置の第２の変形例を示す斜視図である。
【符号の説明】
【００４８】
１０  画像形成装置
１２  画像形成装置本体
２６  像形成ユニット
２８  転写ユニット
３８  像担持体ユニット
４０  現像ユニット
４２  像担持体
４８  クリーニングブレード
６４  第１のハウジング
７２  仮止め部材
８８  第２のハウジング
９４  支持軸
９６  第１の嵌合部
９８  第２の嵌合部
１００  第１の被嵌合部
１０８  第２の被嵌合部
１１０  第１の支持軸挿入孔
１１２  第２の支持軸挿入孔
１１４  第３の支持軸挿入孔
１１６  仮止め部
【図１】
2008009424.tif 000003
【図２】
2008009424.tif 000004
【図３】
2008009424.tif 000005
【図４】
2008009424.tif 000006
【図５】
2008009424.tif 000007
【図６】
2008009424.tif 000008
【図７】
2008009424.tif 000009
【図８】
2008009424.tif 000010
【図９】
2008009424.tif 000011
【図１０】
2008009424.tif 000012
【図１１】
2008009424.tif 000013
【図１２】
2008009424.tif 000014
【図１３】
2008009424.tif 000015
【図１４】
2008009424.tif 000016
【図１５】
2008009424.tif 000017